(57)【要約】      （修正有）【課題】携帯情報端末用折り畳み式スタンドを提供する。【解決手段】携帯情報端末用折り畳み式スタンド１は、折り畳んだ状態で、解放された上端部１０ａと閉鎖された底辺１０ｂを有する矩形袋体１０と矩形袋体の底辺に結合したフラップ２０とを備える。矩形袋体の表面側シート１１は、上辺中央から垂直に形成される表面側第１折り線１３、両側辺下端に向かい斜めに形成される表面側第２、第３折り線１４、１５を有する。矩形袋体の裏面側シートは、上辺中央から垂直に形成される裏面側第１折り線、両側辺下端に向かい斜めに形成される裏面側第２、第３折り線、を有する。矩形袋体は、表面側及び裏面側の第１〜３折り線に沿って折り曲げられると、フラップが前方に突出し、矩形袋体の底辺と表面側及び裏面側の第２、第３折り線を稜線とする四面体１８が形成され、携帯情報端末を支持可能となる。【選択図】図１
2020057996.tif 000002
【特許請求の範囲】
【請求項１】
折り畳んだ状態で、解放された上端部と閉鎖された底辺を有する一個の矩形袋体と、前記矩形袋体の底辺に連接した一又は複数個のフラップとを備えた携帯情報端末用折り畳み式スタンドであって、
前記矩形袋体の表面側シートが、その上方であって両側辺から等距離の位置にある四面体用表面側頂点から前記表面側シートの上辺に向かって垂直に形成される表面側第１折り線、及び前記四面体用表面側頂点から前記シートの両側辺下端に向かって斜め方向に形成される表面側第２及び第３折り線を有し、
前記矩形袋体の裏面側シートが、その上方であって両側辺から等距離の位置にある四面体用裏面側頂点から前記裏面側シートの上辺に向かって垂直に形成される裏面側第１折り線、及び前記四面体用裏面側頂点から前記裏面側シートの両側辺下端に向かって斜め方向に形成される裏面側第２及び第３折り線を有し、
前記矩形袋体が、その底辺並びに表面側及び裏面側の第１〜３折り線に沿って折り曲げられると、前記フラップが前方に持ち上がり、前記矩形袋体の底辺並びに表面側及び裏面側の第２及び第３折り線を稜線とする四面体が形成され、前記フラップ及び前記四面体の正面によって携帯情報端末が支持可能となることを特徴とする、前記携帯情報端末用折り畳み式スタンド。
【請求項２】
前記フラップの形状は、折り畳み可能な三角柱である、請求項１に記載の携帯情報端末用折り畳み式スタンド。
【請求項３】
前記表面側第２及び第３折り線間に形成される表面側夾角、及び前記裏面側第２及び第３折り線間に形成される裏面側夾角は、それぞれ４５〜７０度である、請求項１又は２に記載の携帯情報端末用折り畳み式スタンド。
【請求項４】
前記四面体が正四面体となるように、前記表面側及び裏面側の夾角は６０度である、請求項３に記載の携帯情報端末用折り畳み式スタンド。
【請求項５】
前記矩形袋体の上方端部が、開閉自在である、請求項１〜４のいずれかに記載の携帯情報端末用折り畳み式スタンド。
【請求項６】
前記表面側シートにおいて、矩形袋体の底辺に連接した複数の前記フラップの間隙に第１切り込み部を有し、そして
前記裏面側シートにおいて、第２折り線及び／又は第３折り線の外側に第２切り込み部を有する、請求項１〜５のいずれかに記載の携帯情報端末用折り畳み式スタンド。
【請求項７】
紙製である、請求項１〜６のいずれかに記載の携帯情報端末用折り畳み式スタンド。
【発明の詳細な説明】
【技術分野】
【０００１】
本発明は、携帯情報端末用スタンドに関し、より詳細には携帯に便利な折り畳み式の携帯情報端末用スタンドに関する。
【背景技術】
【０００２】
スマートフォンのような携帯情報端末の利用者が全世界的に急増している。携帯情報端末の所持者が、外出時、通勤・通学時、国内及び海外の旅行時に、４Ｇ／ＬＴＥ、Ｗｉ−Ｆｉ等の無線通信で自身の携帯情報端末を利用できる環境も、急速に整備されてきた。
【０００３】
携帯情報端末の所持者が、外出先でインターネットやビデオが見たい、長時間通話やビデオチャットを行いたい場合、携帯情報端末を保持するスタンドがあると便利である。従来の卓上クレードルや卓上ホルダーは、持ち運びに適さない。
【０００４】
外出先で携帯情報端末を立てかけて使用可能なスタンドが提案されている。例えば特許文献１は、帯状のブランクシートに支承板、前立ち上げ板、底板、背面ブレース板、及び背もたれ板が平行する折線を介して連接状態に区画形成され、前記前立ち上げ板と支承板とを底板上面を基準に谷折り状態に折り曲げ形成し、支承板自由端側を掛止構造により底板奥部寄りの部位に掛止し、側面視三角形状の支承部組立体を構成し、前記背面ブレース板と背もたれ板とを底板上面を基準に谷折り状態に順次折り曲げ形成し、背もたれ板の自由端側を掛止構造により支承板の手前寄り部位に掛止し、背面ブレース板と背もたれ板と支承板の一部とによって側面視三角形状に立ち上がった背もたれ組立体を形成し、前記支承板の手前側寄り部位と背もたれ板とにより前面が開放された載置部を形成するように構成した携帯情報端末機器の簡易スタンドを提案する。このスタンドは、紙等のブランクシートを用いて構成でき、平板上に折り畳んで携行にも便利な構成となっている。
【先行技術文献】
【特許文献】
【０００５】
【特許文献１】特開２０１４−１６５５９８（携帯情報端末機器の簡易スタンド）
【発明の概要】
【発明が解決しようとする課題】
【０００６】
本発明は、上記特許文献１と同様に、旅先等に持ち運び可能な折り畳み式の携帯情報端末スタンドを新規に提供することを目的とする。
【課題を解決するための手段】
【０００７】
本発明者等は、上記課題を鋭意検討した結果、以下の発明によれば上記課題を解決できることを見出した。すなわち、本発明は、折り畳んだ状態で、解放された上端部１０ａと閉鎖された底辺１０ｂを有する一個の矩形袋体１０と、前記矩形袋体の底辺１０ｂに連接した一又は複数個のフラップ２０とを備えた携帯情報端末用折り畳み式スタンド１であって、
前記矩形袋体の表面側シート１１が、その上方であって両側辺から等距離の位置にある四面体用表面側頂点Ａから前記表面側シートの上辺に向かって垂直に形成される表面側第１折り線１３、及び前記四面体用表面側頂点Ａから前記シートの両側辺下端に向かって斜め方向に形成される表面側第２及び第３折り線１４、１５を有し、
前記矩形袋体の裏面側シート１２が、その上方であって両側辺から等距離の位置にある四面体用裏面側頂点Ａ’から前記裏面側シートの上辺に向かって垂直に形成される裏面側第１折り線１３’、及び前記四面体用裏面側頂点Ａ’から前記裏面側シートの両側辺下端に向かって斜め方向に形成される裏面側第２及び第３折り線１４’、１５’を有し、
前記矩形袋体１０が、その底辺１０ｂ並びに表面側及び裏面側の第１〜３折り線１３〜１５、１３’〜１５’に沿って折り曲げられると、前記フラップ２０が前方に持ち上がり、前記矩形袋体の底辺１０ｂ並びに表面側及び裏面側の第２及び第３折り線１４、１５、１４’、１５’を稜線とする四面体１８が形成され、前記フラップ２０及び前記四面体１８の正面によって携帯情報端末Ｘが支持可能となることを特徴とする、前記携帯情報端末用折り畳み式スタンド１を提供する。本明細書において、正面とは、スタンドとして使用時に、携帯情報端末の保持者と正対する面を意味する。
【０００８】
前記フラップ２０の形状は、折り畳み可能な三角柱２１であることが好ましい。
【０００９】
前記表面側第２及び第３折り線間に形成される表面側夾角θ、及び前記裏面側第２及び第３折り線間に形成される裏面側夾角θ’は、通常、それぞれ４５〜７０度である。
【００１０】
前記四面体１８が正四面体となるように、前記表面側及び裏面側の夾角θ、θ’は、６０度であることが好ましい。
【００１１】
前記矩形袋体の上方端部１０ａが、開閉自在であることが好ましい。
【００１２】
前記表面側シート１１において、矩形袋体の底辺１０ｂに連接した複数の前記フラップ２０の間隙に第１切り込み部１６を有し、そして前記裏面側シート１２において、第２折り線及び／又は第３折り線の外側に第２切り込み部１７を有することが好ましい。
【００１３】
前記は、紙製であることが好ましい。
【発明の効果】
【００１４】
本発明は、軽量かつ簡易なコストで製作可能な携帯情報端末用の折り畳み式スタンドである。本発明のスタンドの使用時には、矩形袋体１０の両側辺を中心方向に押し、そしてフラップ２０を前方へ持ち上げるという簡単な動作によって容易に組み立てることができる。スタンドの四面体構造は三角形の面のみで構成されるので、紙やプラスチックフィルムを最小限使用して加工するだけでも十分な強度を発揮する。
【００１５】
本発明のスタンドは、不使用時に平面に折り畳んで、繰り返し使用可能である。完全にフラットな形状に折り畳むことができ、持ち運びし易い。また、前記矩形袋体の内部に携帯情報端末等のパッケージとしても使用可能である。
【００１６】
紙やプラスチックで作製可能である上記スタンドは、軽量、廃棄容易である、印刷コストが安い、印刷面積が大きい等の長所を有する。このような長所を活かして、本発明のスタンドを、例えばホテルや旅館のアメニティ、キャンペーンやイベントで配布するノベルティ商品として使用することが期待される。
【図面の簡単な説明】
【００１７】
【図１】本発明に一実施形態に従う携帯情報端末用折り畳み式スタンドの使用状態を示す斜視図と、それを折り畳んだ状態の表面側の平面図である。
【図２】図１のスタンドの折り畳んだ状態の裏面側の平面図である。
【図３】図１の携帯情報端末用折り畳み式スタンドをスタンドに変形させた状態の正面図である。
【図４】図１の携帯情報端末用折り畳み式スタンドをスタンドに変形させた状態の側面図である。
【図５】図１の携帯情報端末用折り畳み式スタンドをスタンドに変形させた状態の底面図である。
【図６】図１の携帯情報端末用折り畳み式スタンドの使用状態を示す斜視図である。
【図７】図１の携帯情報端末用折り畳み式スタンドの型紙の展開図である。一点鎖線は折り線、そして斜線部分は糊代を意味する。
【発明を実施するための形態】
【００１８】
添付の図面を用いて、本発明の携帯情報端末用折り畳み式スタンド（以下、本発明のスタンドということがある）の一実施形態を説明するが、本発明は、下記の実施形態に限定されるものではない。
【００１９】
図１に示すスタンド１は、折り畳まれた状態において、上端部１０ａが解放し、そして底辺１０ｂが閉鎖された一個の矩形袋体１０を備える。矩形袋体１０の表面側及び裏面側をそれぞれ、表面側シート１１及び裏面側シート１２と呼ぶ。両シートの四角は直角である。また、両シートの縦幅は、横幅よりも若干長い。矩形袋体１０は、後述の折り線に沿って四面体に変形できるように両シートの間にマチを設けない。
【００２０】
前記両シートからなる矩形袋体の上端部１０ａは、袋体を四面体に変形させるために開放している必要がある。上端部１０ａの解放は、スタンドとして使用しない時に、袋体内に携帯情報端末等の物品を収容するという副次的効果も有する。
【００２１】
矩形袋体の表面側シート１１は、その上方であって、両側辺から等距離にある位置に、矩形袋体を折り曲げて得られる四面体１８用の頂点Ａを形成する。
【００２２】
表面側シート１１は、また、頂点Ａから上辺に向かって垂直に延びる第１折り線１３を有する。第１折り線１３の長さは、通常、５〜３０ｍｍでよく、好ましくは１０〜２０ｍｍである。
【００２３】
表面側シートは、また、頂点Ａからシート両側辺下端まで延びる第２及び第３折り線１４、１５を有する。二本の斜方向折り線は、矩形袋体を四面体に変形させるときの稜線となる。
【００２４】
表面側第２及び第３折り線間に形成される表面側夾角θは、通常、４５〜７０度であり、好ましくは５０〜７０度であり、特に好ましくは６０度である。
【００２５】
矩形袋体の裏面側シート１１もまた、前記裏面側シートと同様の構造を取る。その構造は、通常、表面側シート１２と相対する位置に構成される（図２）。具体的には、裏面側シート１２は、その上方であって、両側辺から等距離にある位置に、矩形袋体を折り曲げて得られる四面体１８用の頂点Ａ’を形成する。
【００２６】
裏面側シート１２は、頂点Ａ’から上辺に向かって垂直に延びる第１折り線１３’を有する。第１折り線１３’の長さもまた、通常、１０〜４０ｍｍでよく、好ましくは１５〜３０ｍｍである。
【００２７】
裏面側シートは、また、頂点Ａ’からシート両側辺下端まで延びる第２及び第３折り線１４’、１５’を有する。これらの斜方向折り線は、矩形袋体を四面体に変形させるときの稜線を形成する。
【００２８】
裏面側第２及び第３折り線間に形成される裏面側夾角θ’は、通常、４５〜７０度であり、好ましくは５０〜７０度であり、特に好ましくは６０度である。
【００２９】
前記四面体１８の正面、すなわち矩形袋体の底辺１０ｂ、表面側シートの第２折り線１４及び第３折り線１５で囲まれた二等辺三角形又は正三角形の領域は、スタンドの携帯情報端末Ｘの背もたれ面となる（図４、６）。そして、前記四面体１８の底面、すなわち矩形袋体の底辺１０ｂ、裏面側シートの第２折り線１４’及び第３折り線１５’で囲まれた二等辺三角形又は正三角形の領域は、スタンドの接地面となる（図５、６）。
【００３０】
上記背もたれ面と上記接地面との間の二面角α（図示せず）は、下記式：
【数１】
2020057996.tif 000003
で表される。
【００３１】
上記夾角θ及びθ’が６０度であると、前記四面体は正四面体（いわゆるテトラパックの形状）となる。この二面角αは、７０．５度である。正四面体のスタンド（図６）は、強度、携帯情報端末Ｘの保持安定性、使用者による携帯情報端末の視認性等に優れる点で好ましい。
【００３２】
本発明のスタンド１に携帯情報端末Ｘを安定に保持させるために、上記背もたれ面にエンボス加工する、滑り止めシートを貼付する等の施策をとってもよい。また、本発明のスタンド１をテーブル等の上に安定に保持させるために、上記接地面にエンボス加工する、滑り止めシートを貼付する等の施策をとってもよい。
【００３３】
表面側シート１１を折り線１３で１８０度折り曲げ、そして裏面側シート１２を折り線１３’で１８０度折り曲げると、矩形袋体を折り曲げて得られる四面体の一稜線上に、表面側及び裏面側の第１折り線部分１３、１３’が合掌するように合わさった封止部１９を形成する。この封止部は、四面体の形態を保持し、携帯情報端末Ｘを保持した状態のスタンドの強度を確保するのに役立つ。
【００３４】
四面体の形態を保持し易くし、そしてスタンドの強度を一層上げるために、封止部１９の面同志を開閉自在にすることが望ましい。封止部１９を開閉自在にする手段として、例えば図４に示すように封止部を複数回折り曲げられるように矩形袋体の上端部に横方向折り線を設ける、封止部の内面に面ファスナーやスナップボタンを貼付する、封止部の内面、外面又は内部に磁石を設置する、封止部をクリップ止めする等の方法が挙げられる。
【００３５】
本発明のスタンド１は、折り畳まれた状態で、矩形袋体の底辺１０ｂに連接した一又は複数個（図１では２個）のフラップ２０を備える。フラップ２０を矩形袋体の底辺１０ｂに沿って前方に折り曲げた時にフラップが三角柱状に変形可能であると、四面体１８の正面とフラップ２０の三角柱との間にＶ字型空間２２ができ、そこに携帯情報端末Ｘを保持し易くなる（図４、図６）。
【００３６】
図１の前記表面側シート１１のように矩形袋体の底辺１０ｂに連接した複数の前記フラップ２０の間隙に第１切り込み部１６を設け、そして図２の前記裏面側シート１２のように第２折り線及び／又は第３折り線の外側に第２切り込み部１７を設けることが好ましい。第２切り込み部１７は、第２折り線及び第３折り線１４’、１５’に接することがさらに好ましい。切り込み部の形状は、図２に示すようなコの字型の他にＵ字型、＞型、×型、〇穴、□穴、△穴等でもよい。図６に示すように電源ケーブルＹを切り込み部１６に通し切り込み部１７を介して携帯情報端末Ｘの充電用端子とつなぐことにより、携帯情報端末Ｘをスタンド１に保持させた状態で充電可能となる。
【００３７】
前記矩形袋体１０が、その底辺１０ｂ並びに前記表面側並びに表面側及び裏面側の第１〜３折り線１３〜１５、１３’〜１５’に沿って折り曲げられると、前記フラップ２０が前方に持ち上がり、前記矩形袋体の底辺並びに表面側及び裏面側の第２及び第３折り線１４、１５、１４’、１５’を稜線とする四面体１８が形成され、その結果、前記フラップ２０及び前記四面体１９の正面によって形成されるＶ字型空間２２に携帯情報端末Ｘが支持可能となる（図４及び図６）。
【００３８】
前記携帯情報端末用折り畳み式スタンドの材質は問わず、洋紙、和紙、厚紙、ボール紙、ラミネート紙等の紙類、プラスチック類、金属箔、木板、これらの複合材料等が挙げられる。軽量性、加工性、印刷性等に優れる点で紙類が好ましい。
【００３９】
本発明の携帯情報端末用折り畳み式スタンド１は、１枚の型紙から製作可能である。型紙の展開図の一例を図７に示す。図中、点線は折り線加工を施した箇所である。折り線の形成は、例えば単に折り返す、型押しする、刃物でなぞる等で行われる。斜線域は、糊代を意味する。型紙を折って糊代部分を接着すると、折り畳み状態のスタンド１が完成する。
【００４０】
本発明の携帯情報端末用折り畳み式スタンドの使用方法を、図１〜図６を参照しながら説明する。まず、矩形袋体１０の両側辺を中心方向へ手で押すと、表面側及び裏面側の折り線１４、１５、１４’、１５’が山折りされて四面体１８に変形すると同時に、第１折り線１３及び１３’も山折りされ、前記四面体１８上に封止部１９を形成する。次に、折り畳まれた状態の携帯情報端末用折り畳み式スタンドの矩形袋体１０の底辺１０ｂに連接したフラップ２０を前方へ折り曲げて三角柱２１を作る。封止部１９は、図４に示すように四面体１８の片側に数回折り曲げると、四面体の形態を保持し易い。フラップ２０（三角柱２１）の一面と四面体の一面とで形成されるＶ字型空間２２に携帯情報端末Ｘの底部を支承させ、さらに携帯情報端末Ｘを四面体１８の正面にもたせ掛ける（図６）。
【００４１】
携帯情報端末Ｘをスタンド１に立て掛けた状態で端末を充電したい場合には、電源ケーブル等のコネクタをスタンド１の第１切り込み部１６及び第２切り込み部１７を介して携帯情報端末Ｘの充電用端子に接続する。これによりバッテリーの消耗を気にすることなく、携帯情報端末を使用し続けることができる。
【００４２】
本発明の携帯情報端末用折り畳み式スタンドの不使用時には、上記ステップを逆にたどることによって組み立て状態を解除する。平板状に折り畳まれた本発明のスタンドは携行に利便である。
【００４３】
本発明の折り畳み式スタンドに使用される携帯情報端末には、スマートフォン、電子ブックリーダー、ＰＤＡ、携帯型ゲーム機、タブレットコンピュータ、デジタルオーディオプレーヤー等が挙げられる。
【符号の説明】
【００４４】
１  携帯情報端末用折り畳み式スタンド
１０  矩形袋体
１０ａ  矩形袋体上端部
１０ｂ  矩形袋体底辺
１１  表面側シート
１２  裏面側シート
１３  表面側第１折り線
１４  表面側第２折り線
１５  表面側第３折り線
１３’  裏面側第１折り線
１４’  裏面側第２折り線
１５’  裏面側第３折り線
１６  第１切り込み部
１７  第２切り込み部
１８  四面体
１９  封止部
２０  フラップ
２１  三角柱
２２  Ｖ字型空間
Ａ  四面体用表面側頂点
Ａ’  四面体用裏面側頂点
θ    表面側夾角
θ’  裏面側夾角
Ｘ  携帯情報端末
Ｙ  電源ケーブル
【図１】
2020057996.tif 000004
【図２】
2020057996.tif 000005
【図３】
2020057996.tif 000006
【図４】
2020057996.tif 000007
【図５】
2020057996.tif 000008
【図６】
2020057996.tif 000009
【図７】
2020057996.tif 000010